(57)【要約】【課題】モニタスタンドにおいて、モニタスタンドが凹部からずれないようにすることにある。【解決手段】このモニタスタンド９０では、ロッドホルダ１００、１０１の凹部１００ａ、１０１ａの内径に合致するように第１部材７３及び第２部材７４を移動させることによって、凹部１００ａ、１０１ａの内径にスタンドの直径を一致させることができるとともに、凹部１００ａ、１０１ａの開口部１００ｂ、１０１ｂに筒状部材７２の円筒部７２ａまたはテーパ部７２ｂを接触させることによって、凹部１００ａ、１０１ａの開口部１００ｂ、１０１ｂに隙間が生成されないようになっている。【選択図】図５
2012115152.tif 000002
【特許請求の範囲】
【請求項１】
モニタを凹部に取り付けるためのモニタスタンドであって、
前記モニタを支持する支持部と、
上端が前記支持部に固定される軸部材と、
前記軸部材が貫通し前記軸部材の下端が固定され、前記凹部に装着される取付部とを備え、
前記取付部は、
前記軸部材が貫通し前記軸部材が交差する方向に移動可能な第１貫通孔と、下部が斜め方向に切り欠かれた第１傾斜面とを有する第１部材と、
前記軸部材が貫通し前記軸部材の下端が軸方向に移動不能に固定されかつ前記軸部材が交差する方向に移動可能な第２貫通孔と、上部が斜め方向に切り欠かれ前記第１傾斜面と接触する第２傾斜面とを有する第２部材と、
前記第１部材の上部に接触するように配置される略円筒状の円筒部と、前記円筒部の上部に設けられ前記円筒部から上方に向けて拡径する略円錐台筒状のテーパ部とを有する筒状部材と、
前記筒状部材の上部に接触するように配置され、前記第１部材及び前記第２部材の最大外径が前記凹部の内径に合致するように前記第１傾斜面及び前記第２傾斜面を接触させた状態で前記筒状部材及び前記第１部材を前記第２部材とで挟持して、前記筒状部材、前記第１部材及び前記第２部材を前記軸部材に固定するための筒状の押圧部材と、
を有している、モニタスタンド。
【請求項２】
前記軸部材は、外周部に雄ねじが形成されたねじ部材であり、
前記押圧部材は、前記雄ねじに螺合する雌ねじが形成ざれた筒状部材である、請求項１に記載のモニタスタンド。
【請求項３】
前記軸部材は、上端部が前記支持部にナット部材によってねじ止め固定される、請求項１又は２に記載のモニタスタンド。
【請求項４】
前記軸部材及び前記第２部材は、下端部が前記軸部材が交差する方向に貫通するピン部材によって軸方向に移動不能に固定される、請求項１から３のいずれか１項に記載のモニタスタンド。
【請求項５】
前記第１部材及び前記第２部材は、上下反転させて配置した同一形状の部材である、請求項１から４のいずれか１項に記載のモニタスタンド。
【請求項６】
前記支持部は、下面に装着される板状の板状部材をさらに有している、請求項１から５のいずれか１項に記載のモニタスタンド。
【発明の詳細な説明】
【技術分野】
【０００１】
本発明は、モニタスタンド、特に、モニタを凹部に取り付けるためのモニタスタンドに関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、リールに関する情報を表示可能な表示部を有するモニタをリールの外部に設け、釣り船の船縁にクランプ台座によって着脱自在に装着したものが知られている（たとえば、特許文献１参照）。このモニタは、リールに関する情報を表示させるだけでなく、魚群探知機や全地球測位システム（ＧＰＳ）等からの釣りに関する情報を表示させることができる。
【０００４】
このようなモニタは、釣り船の船縁にクランプ付き台座によって装着されているが、モニタの下部に円柱状のモニタスタンドを取り付け、モニタスタンドを釣り船に取り付けられた釣竿装着用のロッドホルダに装着することによってモニタを釣り船に装着することが考えられる。この種のロッドホルダは、上部が開口した凹部を有する円筒状の部材であって、釣り船の壁面に固定されている（たとえば、特許文献２参照）。ここでは、従来からあるロッドホルダの凹部にモニタスタンドを装着することによってモニタを釣り船に装着しているので、クランプ付き台座を別途設ける必要がなくなる。
【０００５】
また、従来のロッドホルダは、メーカや装着する釣竿の種類によって、凹部の直径が異なっている。そこで、スタンドの直径に比して大径の凹部にスタンドを接触可能に装着するために、スタンドの直径を変更できるようにしたものが知られている（たとえば、特許文献３参照）。このスタンドは、ロッド部材と、ロッド部材が貫通しロッド部材が交差する方向に移動可能な第１貫通孔と下部が斜め方向に切り欠かれた第１傾斜面とを有する第１部材と、ロッド部材が貫通しロッド部材の下端が軸方向に移動不能に固定されかつロッド部材が交差する方向に移動可能な第２貫通孔と上部が斜め方向に切り欠かれ第１傾斜面と接触する第２傾斜面とを有する第２部材と、第１部材の上部に接触するように配置され第１部材及び第２部材の最大外径が凹部の内径に合致するように第１傾斜面及び第２傾斜面を接触させた状態で第１部材を第２部材とで挟持して第１部材及び第２部材をロッド部材に固定するためのナット部材とを有している。ここでは、ロッドホルダの凹部の内径に合致するように第１部材及び第２部材を移動させることによって、ロッドホルダの凹部の内径にスタンドの直径を一致させることができるので、スタンドの直径に比して大径の凹部にスタンドを接触可能に装着できる。
【先行技術文献】
【特許文献】
【０００６】
【特許文献１】特許第４２２１２８１号公報
【特許文献２】実用新案登録第３１５７９６８号公報
【特許文献３】米国特許第６０４５１０９号明細書
【発明の概要】
【発明が解決しようとする課題】
【０００７】
前記従来のスタンドは、ロッドホルダの凹部の内径に合致するように第１部材及び第２部材を移動させることによって、スタンドの直径に比して大径の凹部にスタンドを接触可能に装着できる。しかし、スタンドの直径に比して大径の凹部にスタンドを装着するときは、凹部の一端側に第１部材が接触し、凹部の他端側に第２部材が接触しているので、凹部の開口部の一端側のみに第１部材が接触し、凹部の開口部の他端側に隙間が生成されている。このように凹部の開口部の一端側のみに第１部材が接触し、凹部の開口部の他端側に隙間が生成されていると、釣り船の振動等によって、スタンドがロッドホルダからずれてしまうおそれがある。スタンドがロッドホルダからずれてしまうと、特に、モニタスタンドの場合には、モニタが転倒し、モニタが破損するおそれが生じる。
【０００８】
本発明の課題は、モニタスタンドにおいて、モニタスタンドが凹部からずれないようにすることにある。
【課題を解決するための手段】
【０００９】
発明１に係るモニタスタンドは、モニタを凹部に取り付けるためのモニタスタンドであって、支持部と、軸部材と、取付部とを備えている。支持部は、モニタを支持する。軸部材は、上端が支持部に固定される。取付部は、軸部材が貫通し軸部材の下端が固定され、凹部に装着される。取付部は、第１部材と、第２部材と、筒状部材と、押圧部材とを有している。第１部材は、軸部材が貫通し軸部材が交差する方向に移動可能な第１貫通孔と、下部が斜め方向に切り欠かれた第１傾斜面とを有する。第２部材は、軸部材が貫通し軸部材の下端が軸方向に移動不能に固定されかつ軸部材が交差する方向に移動可能な第２貫通孔と、上部が斜め方向に切り欠かれ第１傾斜面と接触する第２傾斜面とを有する。筒状部材は、第１部材の上部に接触するように配置される略円筒状の円筒部と、円筒部の上部に設けられ円筒部から上方に向けて拡径する略円錐台筒状のテーパ部とを有する。押圧部材は、筒状部材の上部に接触するように配置され、第１部材及び第２部材の最大外径が凹部の内径に合致するように第１傾斜面及び第２傾斜面を接触させた状態で筒状部材及び第１部材を第２部材とで挟持して、筒状部材、第１部材及び第２部材を軸部材に固定するための筒状の部材である。
【００１０】
このモニタスタンドでは、ロッドホルダ等の凹部の内径に合致するように第１部材及び第２部材を移動させることによって、凹部の内径にスタンドの直径を一致させることができるとともに、凹部の開口部に筒状部材の円筒部またはテーパ部を接触させることによって、凹部の開口部に隙間が生成されないようになっている。ここでは、凹部の開口部に隙間が生成されないので、釣り船が振動した場合でも、モニタスタンドが凹部からずれにくくなる。さらに、ここでは、筒状部材は、略円筒状の円筒部と、円筒部から上方に向けて拡径する略円錐台筒状のテーパ部とを有しているので、凹部が円筒部と同径であるときには凹部の開口部に円筒部が接触し、凹部が円筒部より大径であるときには凹部の開口部にテーパ部が接触するために、凹部の開口部に筒状部材を確実に接触させることができ、このため、モニタスタンドが凹部から確実にずれにくくなる。
【００１１】
発明２に係るモニタスタンドは、発明１のモニタスタンドにおいて、軸部材は、外周部に雄ねじが形成されたねじ部材である。押圧部材は、雄ねじに螺合する雌ねじが形成ざれた筒状部材である。この場合、押圧部材を回転させるだけで押圧部材を下方向に押圧できるので、筒状部材、第１部材及び第２部材を軸部材に容易に固定できる。
【００１２】
発明３に係るモニタスタンドは、発明１又は２のモニタスタンドにおいて、軸部材は、上端部が支持部にナット部材によってねじ止め固定される。この場合、ナット部材によって、軸部材を支持部に簡単に固定できる。
【００１３】
発明４に係るモニタスタンドは、発明１から３のいずれかのモニタスタンドにおいて、軸部材及び第２部材は、下端部が軸部材が交差する方向に貫通するピン部材によって軸方向に移動不能に固定される。この場合、ピン部材によって、軸部材の第２部材に対する横方向（軸部材が交差する方向）の移動を許可しながら、軸部材の第２部材に対する上下方向（軸方向）の移動を規制できる。
【００１４】
発明５に係るモニタスタンドは、発明１から４のいずれかのモニタスタンドにおいて、第１部材及び第２部材は、上下反転させて配置した同一形状の部材である。この場合、第１部材及び第２部材を同一形状の部材で構成することにより、たとえば、第１部材及び第２部材を成形するときの金型の製作コストを削減できる。
【００１５】
発明６に係るモニタスタンドは、発明１から５のいずれかのモニタスタンドにおいて、支持部は、下面に装着される板状の板状部材をさらに有している。この場合、たとえば板状の支持部の下面に板状部材を取り付けることによって、支持部の変形を防止できる。
【発明の効果】
【００１６】
本発明によれば、モニタスタンドにおいて、ロッドホルダ等の凹部の内径に合致するように第１部材及び第２部材を移動させることによって、凹部の内径にスタンドの直径を一致させることができるとともに、凹部の開口部の全体に筒状部材の円筒部またはテーパ部を接触させることによって、凹部の開口部に隙間が生成されないようになっているので、凹部の開口部に隙間が生成されず、釣り船が振動した場合でも、モニタスタンドが凹部からずれにくくなる。
【図面の簡単な説明】
【００１７】
【図１】釣り情報表示装置及びモニタスタンドの平面図。
【図２】前記モニタスタンドの分解斜視図。
【図３】前記モニタスタンドの拡大平面図。
【図４】前記モニタスタンドの円筒部と同径のロッドホルダの凹部に前記モニタスタンドを装着したときの前記モニタスタンドの拡大平面図。
【図５】前記円筒部より大径の前記凹部に前記モニタスタンドを装着したときの前記モニタスタンドの拡大平面図。
【図６】釣り用リールの斜視図。
【図７】前記釣り用リールの断面図。
【図８】前記釣り用リール及び前記釣り情報表示装置の制御ブロック図。
【図９】前記釣り情報表示装置の表示部の平面図。
【発明を実施するための形態】
【００１８】
本発明の一実施形態が採用された釣り情報表示装置８０（本願発明のモニタの一例）は、図１及び図６から図８に示すように、トローリングに用いられる大型の両軸受リールである釣り用リール２００から得られる水深情報、釣り糸に作用する張力、仕掛けの繰り出し速度等を表示するためのものである。
【００１９】
釣り用リール２００は、図６及び図７に示すように、トローリングに用いられる大型の両軸受リールである。釣り用リール２００は、筒状のリール本体１と、リール本体１の中心部に回転自在に装着されたスプール軸２と、スプール軸２に回転自在かつ軸方向移動不能に支持されたスプール３と、リール本体１の側方に配置されたハンドル４とを備えている。また、釣り用リール２００は、ハンドル４の回転をスプール３に伝達する回転伝達機構６と、スプール３の糸繰り出し方向の回転を制動するレバードラグ機構７と、スプール３の糸繰り出し方向の回転を規制する逆転防止機構９とをリール本体１の内部に備えている。
【００２０】
リール本体１は、図６及び図７に示すように、金属製の左右１対の有底筒状の第１側板１０（ハンドル４装着側と逆側の側板）及び第２側板１１（ハンドル４装着側の側板）と、第１側板１０及び第２側板１１が両端に印籠結合により同芯に結合され、複数本の固定ねじにより固定された金属製の孔あき筒状のリールボディ１２とを有している。第１側板１０及び第２側板１１は、その略中心部で回動自在にスプール軸２の両端を支持する。
【００２１】
リールボディ１２と第１側板１０及び第２側板１１との間の上部にはリールハーネスに装着するためのハーネスラグ１３が間隔を隔てて装着されている。リールボディ１２の下部にはリールを釣竿に装着するための竿取付部１４が設けられている。第１側板１０は、図６に示すように、内部に形成され各種の機構が装着される取付基板１０ａを有し両側部が開口する筒状の筒状部１０ｂと、筒状部１０ｂから前部下方に一体的に突出する突出部１０ｃとを有している。
【００２２】
リール本体１の第１側板１０の内部には、図８に示すように、各種の制御を行う制御部５３（図８参照）が取り付けられる取付基板１０ａが装着固定されている。制御部５３は、図８に示すように、電源部４８、基板温度センサ４９、スプールセンサ５１、スプールカウンタ５２、トルクセンサ５５、温度センサ５６、通信部５４、操作部５７、記憶部５８、表示部５９及び他の入出力部が電気的に接続されている。
【００２３】
制御部５３は、取付基板１０ａに配置されたＣＰＵ、ＲＡＭ、ＲＯＭ、Ｉ／Ｏインターフェイス等を含むマイクロコンピュータを含んでいる。制御部５３は、記憶部５８に予め記憶された制御プログラムにしたがって、通信部５４の通信制御処理や、表示部５９の表示制御処理や、スプールセンサ５１、スプールカウンタ５２から検出されたデータに基づいて仕掛けの水深情報（糸長）、仕掛けの繰り出し速度を算出する制御処理や、トルクセンサ５５から検出されたトルクデータと温度センサ５６及び基板温度センサ４９から検出された温度データとに基づいて検出トルクを補正して補正トルクを算出する制御処理等の各種の制御動作を実行する。記憶部５８は、たとえばＥＥＰＲＯＭ等の不揮発メモリからなり、糸長算出時に使用するマップデータ等の各種のデータが記憶されている。
【００２４】
制御部５３は、表示部５９や通信部５４等の各種の制御を行うとともに、仕掛けの水深情報を演算する水深演算処理を行う。水深演算処理は、スプールカウンタ５２により計数されたスプール３の回転数と、記憶部５８に保持されたマップデータとを対応させることにより、スプール３の回転数を仕掛けの水深情報に変換する。このようにして得られた仕掛けの水深情報は、数値情報として表示部５９や通信部５４に送られる。
【００２５】
また、制御部５３は、スプール３の回転速度を演算する回転速度演算処理を行う。回転速度演算処理は、スプールカウンタ５２により計数されたスプール３の回転数と、制御部５３の内部クロックから得られる時間情報とに基づいて、スプール３の単位時間当たりの回転速度を算出する。このようにして得られたスプール３の回転速度情報は、数値情報として表示部５９や通信部５４に送られる。
【００２６】
通信部５４は、図８に示すように、釣り用リール２００の外部に設けられた釣り情報表示装置８０の通信部８６と各種の情報を送受信可能である。通信部５４は、仕掛けの水深情報や、スプール３の回転速度情報や、釣り糸に作用する張力情報を釣り情報表示装置８０の通信部８６に送信可能である。通信部５４は、１つのＺｉｇＢｅｅ（登録商標）モジュールにより構成されており、釣り情報表示装置８０の通信部８６のＺｉｇＢｅｅ（登録商標）モジュールと無線通信可能である。ＺｉｇＢｅｅ（登録商標）は、ＩＥＥＥ８０２．１５．４として規格化された短距離無線通信規格の一つであって、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１５．４として規格化されており、たとえば、２．４ＧＨｚの無線周波数帯を使用する。釣り用リール２００の通信部５４のＺｉｇＢｅｅ（登録商標）モジュールは、マルチポイントネットワークに対応したモジュールであり、複数の釣り情報表示装置８０の通信部８６のＺｉｇＢｅｅ（登録商標）モジュールと通信可能であるが、本実施形態では１つの釣り情報表示装置８０の通信部８６のＺｉｇＢｅｅ（登録商標）モジュールと通信可能である。
【００２７】
釣り情報表示装置８０は、図１に示すように、略直方体形状の横型の本体部材８１と、本体部材８１の内部に配置された制御部８３（図８参照）と、本体部材８１の内部に配置された通信部８６（図８参照）と、本体部材８１の表面中央部に配置されたタッチパネル式の液晶ディスプレイからなる表示部８５と、表示部８５の表面に配置されたタッチパネル８４ａと表示部８５の側部に配置された押圧式の電源スイッチ８４ｂとからなる操作部８４とを有している。タッチパネル８４ａは、複数の釣り用リール２００の表示部５９の表示設定を切り替える操作を行うことが可能である。電源スイッチ８４ｂは表示部８５の表示をオンオフ操作することが可能である。釣り情報表示装置８０は、図示しない全地球測位システム（ＧＰＳ）モジュールが内蔵されており、タッチパネル８４ａの切替操作によって、表示部８５にＧＰＳからの各種情報を表示することが可能である。また、釣り情報表示装置８０は、図示しないパーソナルコンピュータの情報入出力端子に接続可能な情報入出力端子（たとえば、ＵＳＢ（ユニバーサル・シリアル・バス）入出力端子）を有しており、たとえば、釣り情報表示装置８０の記憶部に記憶された釣り用リール２００に関する仕掛けの水深情報（糸長）、釣り糸に作用する張力（補正トルク）、仕掛けの繰り出し速度の各種ログ情報を、ＵＳＢメモリを介してパーソナルコンピュータのＵＳＢ入出力端子からパーソナルコンピュータの記憶部に入力し、パーソナルコンピュータの表示部に釣り用リール２００に関する仕掛けの水深情報（糸長）、釣り糸に作用する張力（補正トルク）、仕掛けの繰り出し速度の各種ログ情報を表示させることが可能である。
【００２８】
表示部８５は、図９に示すように、２行３列の各領域に６つの釣り用リール２００に関する６つの仕掛けの水深情報（糸長）、６つの釣り糸に作用する張力（補正トルク）、６つの仕掛けの繰り出し速度を１つの釣り情報表示装置８０の表示部８５に表示させるようになっており、図９では、３つの釣り用リール２００が１つの釣り情報表示装置８０に接続されており、３つの釣り用リール２００に関する３つの仕掛けの水深情報（糸長）、３つの釣り糸に作用する張力（補正トルク）、複数の仕掛けの繰り出し速度を１つの釣り情報表示装置８０の表示部８５に表示させるようになっている。
【００２９】
表示部８５の２行３列の各領域（左上から第１領域、右下に向かって第６領域）は、図９に示すように、上側から下側の順に、仕掛けの水深情報（糸長）を表示する糸長表示領域８５ａと、釣り糸に作用する張力（補正トルク）を表示するトルク表示領域８５ｂと、仕掛けの繰り出し速度等を表示する速度表示領域８５ｃとを有するドットマトリックス液晶である。第１領域の糸長表示領域８５ａは、仕掛けの水深情報（糸長）を表示するための領域であって、「ＤＩＳＴＡＮＣＥ」の文字と、たとえば糸長が１２０．０ｍであることを示す「１２０．０ｍ」とが表示されている。第１領域のトルク表示領域８５ｂは、釣り糸に作用する張力（補正トルク）を表示するための領域であって、「ＬＩＮＥ  ＴＥＮＳＩＯＮ」の文字と、たとえば補正トルクが１５．０ｋｇであることを示す「１５．０ｋｇ」とが表示されている。第１領域の速度表示領域８５ｃは、仕掛けの繰り出し速度（スプール３の回転速度）を表示するための領域であって、「ＬＩＮＥ  ＳＰＥＥＤ」の文字と、たとえば速度が１０．０ｋｍ／ｈであることを示す「１０．０ｋｍ／ｈ」とが表示されている。
【００３０】
通信部８６は、図８に示すように、釣り用リール２００の通信部５４と各種の情報を無線にて送受信可能である。通信部８６は、釣り用リール２００の通信部５４から仕掛けの水深データや、スプール３の回転速度情報や、釣り糸に作用する張力情報等の情報を受信し、釣り用リール２００の通信部５４へ各種の指令情報を送信する。通信部８６は、釣り用リール２００の通信部５４と同様に、１つのＺｉｇＢｅｅ（登録商標）モジュールにより構成されており、釣り用リール２００の通信部５４のＺｉｇＢｅｅ（登録商標）モジュールと無線通信可能である。通信部８６のＺｉｇＢｅｅ（登録商標）モジュールは、マルチポイントネットワークに対応したモジュールであり、複数の釣り用リール２００の通信部５４のＺｉｇＢｅｅ（登録商標）モジュールと通信可能であり、本実施形態では、６つの釣り用リール２００の通信部５４のＺｉｇＢｅｅ（登録商標）モジュールと通信可能である。
【００３１】
釣り情報表示装置８０には、図１から図５に示すように、釣り情報表示装置８０をロッドホルダ１００、１０１の凹部１００ａ、１０１ａに取り付けるためのモニタスタンド９０が装着されている。
【００３２】
モニタスタンド９０は、図１から図５に示すように、釣り情報表示装置８０の本体部材８１両側部を支持する支持部９１と、上端が支持部９１に固定される軸部材７０と、軸部材７０が貫通し軸部材７０の下端が固定されロッドホルダ１００、１０１（図３〜図５参照）の凹部１００ａ、１０１ａ（図３〜図５参照）に装着される取付部９２とを備えている。
【００３３】
支持部９１は、図１から図３に示すように、釣り情報表示装置８０の本体部材８１両側部を支持する略Ｕ字状のハンガー部材９３と、ハンガー部材９３の両腕部９３ｂと本体部材８１両側部とをそれぞれねじ固定するためのつまみ部材である固定部材９５とを有している。
【００３４】
ハンガー部材９３は、図２及び図３に示すように、金属製の板状部材を折り曲げて一体形成したものであって、釣り情報表示装置８０の本体部材８１両側部を支持する２つの腕部９３ｂと、２つの腕部９３ｂの下端を連結する連結部９３ａと、連結部９３ａの略中央部に形成され軸部材７０の上端が相対回転不能に挿通される非円形孔９３ｃとを有している。軸部材７０の上端は、後述する第１雄ねじ部７０ａより小径かつ外形が一部切り欠かれ非円形孔９３ｃに相対回転不能に挿通される第２雄ねじ部７０ｂが形成されており、連結部９３ａの上部において非円形孔９３ｃから突出した第２雄ねじ部７０ｂに第１ナット部材７５を螺合し、この第１ナット部材７５と、連結部９３ａの下部において軸部材７０の第１雄ねじ部７０ａに予め螺合させた第２ナット部材７６とでハンガー部材９３の連結部９３ａを挟持することによって、支持部９１を軸部材７０に固定している。また、ハンガー部材９３の２つの腕部９３ｂの内側には、合成樹脂製の板状の介装部材９４がねじ止め固定されており、本体部材８１の両側部に金属製の２つの腕部９３ｂを直接接触させないようにするための緩衝部材である。また、ハンガー部材９３の連結部９３ａの下面には、補強用の板状部材９６がねじ止めされている。板状部材９６の略中央部には、非円形孔９３ｃと連通し非円形孔９３ｃより大径の貫通孔９６ａが形成されており、貫通孔９６ａには軸部材７０が挿通可能である。
【００３５】
軸部材７０は、図１から図３に示すように、上端部が支持部９１に第１ナット部材７５及び第２ナット部材７６によってねじ止め固定される。軸部材７０は、図２に示すように、外周部に形成された第１雄ねじ部７０ａと、第１雄ねじ部７０ａの先端外周部に形成された第１雄ねじ部７０ａより小径かつ外形が一部切り欠かれ非円形孔９３ｃに相対回転不能に挿通される第２雄ねじ部７０ｂと、第１雄ねじ部７０ａの基端部に第１雄ねじ部７０ａと交差する方向（横方向）に貫通して形成されピン部材７７が挿通される貫通孔７０ｃとを有するねじ部材である。
【００３６】
取付部９２は、図１から図５に示すように、軸部材７０が貫通し、軸部材７０の下端が固定され、上から押圧部材７１、筒状部材７２、第１部材７３と、第２部材７４の順に配置された４つの部材で構成され、ロッドホルダ１００、１０１（図３〜図５参照）の凹部１００ａ、１０１ａ（図３〜図５参照）に装着される部材である。
【００３７】
第１部材７３は、図２、図４及び図５に示すように、軸部材７０が貫通し、軸部材７０が交差する方向に移動可能な第１貫通孔７３ａと、下部が斜め方向に切り欠かれた第１傾斜面７３ｂとを有している。第２部材７４は、図２、図４及び図５に示すように、軸部材７０が貫通し軸部材７０の下端が軸方向に移動不能に固定され、かつ軸部材７０が交差する方向（横方向）に移動可能な第２貫通孔７４ａと、上部が斜め方向に切り欠かれ第１傾斜面７３ｂと接触する第２傾斜面７４ｂと、下側部が貫通して形成され軸部材７０の貫通孔７０ｃと連通しピン部材７７が挿通固定される貫通孔７４ｃとを有している。第１部材７３及び第２部材７４は、上下反転させて配置した同一形状の部材である。第１部材７３及び第２部材７４は、第１傾斜面７３ｂ及び第２傾斜面７４ｂが接触する範囲で上下方向移動自在に設けられており、第１傾斜面７３ｂ及び第２傾斜面７４ｂの全部が接触しているとき（第１部材７３及び第２部材７４がずれていないとき）は、図４に示すように、小径のロッドホルダ１００の凹部１００ａの内周部に第１部材７３及び第２部材７４の全体が接触し、第１傾斜面７３ｂ及び第２傾斜面７４ｂの一部が接触しているとき（第１部材７３が下方に移動し、第２部材７４が上方に移動して、第１部材７３及び第２部材７４がずれているとき）は、図５に示すように、大径のロッドホルダ１０１の凹部１０１ａの内周部に第１部材７３及び第２部材７４の一部が接触している。
【００３８】
筒状部材７２は、図２、図４及び図５に示すように、第１部材７３の上部に接触するように配置される略円筒状の円筒部７２ａと、円筒部７２ａの上部に一体で設けられ円筒部７２ａから上方に向けて拡径する略円錐台筒状のテーパ部７２ｂと、円筒部７２ａ及びテーパ部７２ｂを貫通し軸部材７０が挿通される貫通孔７２ｃとを有している。筒状部材７２は、図４及び図５に示すように、テーパ部７２ｂの軸方向（上下）長さが円筒部７２ａの軸方向（上下）長さより長くなるように形成されている。テーパ部７２ｂのテーパ角は、図４及び図５に示すように、テーパ部７２ｂの最大外径が、押圧部材７１の外径より小径である。テーパ部７２ｂの最小外径は、円筒部７２ａの外径（すなわち、第１部材７３の最大外径）と略同一になるように形成される。第１部材７３及び第２部材７４の第１傾斜面７３ｂ及び第２傾斜面７４ｂの全部が接触しているとき（第１部材７３及び第２部材７４がずれていないとき）は、図４に示すように、小径の凹部１００ａの開口部１００ｂに筒状部材７２の円筒部７２ａが接触し、第１部材７３及び第２部材７４の第１傾斜面７３ｂ及び第２傾斜面７４ｂの一部が接触しているとき（第１部材７３が下方に移動し、第２部材７４が上方に移動して、第１部材７３及び第２部材７４がずれているとき）は、図５に示すように、大径の凹部１０１ａの開口部１０１ｂに筒状部材７２のテーパ部７２ｂが接触している。
【００３９】
押圧部材７１は、図２、図４及び図５に示すように、筒状部材７２の上部に接触するように配置され、第１部材７３及び第２部材７４の最大外径がロッドホルダ１００、１０１の凹部１００ａ、１０１ａの内径に合致するように第１傾斜面７３ｂ及び第２傾斜面７４ｂを接触させた状態で筒状部材７２及び第１部材７３を第２部材７４とで挟持して、筒状部材７２、第１部材７３及び第２部材７４を軸部材７０に固定するための筒状の部材である。押圧部材７１は、図２に示すように、第１雄ねじ部７０ａに螺合する雌ねじ部７１ａが形成ざれた筒状部材である。
【００４０】
ピン部材７７は、図２に示すように、軸部材７０の貫通孔７０ｃ及び第２部材７４の貫通孔７４ｃに挿通され、軸部材７０の下端部が第２部材７４に軸方向（上下方向）に移動不能に固定されている。ここでは、ピン部材７７によって、軸部材７０の第２部材７４に対する横方向（軸部材が交差する方向）の移動を許可しながら、軸部材７０の第２部材７４に対する上下方向（軸方向）の移動を規制できる。
【００４１】
ロッドホルダ１００、１０１は、図４及び図５に示すように、開口部１００ｂ、１０１ｂが斜め上方に向くように傾斜して配置された筒状の部材であって、凹部１００ａ、１０１ａを有している。ロッドホルダ１００の凹部１００ａは、ロッドホルダ１０１の凹部１０１ａより小径の凹部であって、円筒部７２ａの外径（すなわち、第１部材７３の最大外径、第２部材７４の最大外径）と略同一になるように形成されている。ロッドホルダ１０１の凹部１０１ａは、円筒部７２ａの外径（すなわち、第１部材７３の最大外径、第２部材７４の最大外径）より大径かつテーパ部７２ｂの最大外径より小径になるように形成されている。
【００４２】
このモニタスタンド９０では、ロッドホルダ１００、１０１の凹部１００ａ、１０１ａの内径に合致するように第１部材７３及び第２部材７４を移動させることによって、凹部１００ａ、１０１ａの内径にスタンドの直径を一致させることができるとともに、凹部１００ａ、１０１ａの開口部１００ｂ、１０１ｂに筒状部材７２の円筒部７２ａまたはテーパ部７２ｂを接触させることによって、凹部１００ａ、１０１ａの開口部１００ｂ、１０１ｂに隙間が生成されないようになっている。ここでは、凹部１００ａ、１０１ａの開口部１００ｂ、１０１ｂに隙間が生成されないので、釣り船が振動した場合でも、モニタスタンド９０がロッドホルダ１００、１０１の凹部１００ａ、１０１ａからずれにくくなる。さらに、ここでは、筒状部材７２は、略円筒状の円筒部７２ａと、円筒部７２ａから上方に向けて拡径する略円錐台筒状のテーパ部７２ｂとを有しているので、図４に示すように、ロッドホルダ１００の凹部１００ａが円筒部７２ａと同径であるときには凹部１００ａの開口部１００ｂに円筒部７２ａが接触し、図５に示すように、ロッドホルダ１０１の凹部１０１ａが円筒部７２ａより大径であるときには凹部１０１ａの開口部１０１ｂにテーパ部７２ｂが接触するために、凹部１００ａ、１０１ａの開口部１００ｂ、１０１ｂに筒状部材７２を確実に接触させることができる。したがって、モニタスタンド９０がロッドホルダ１００、１０１の凹部１００ａ、１０１ａから確実にずれにくくなる。
【００４３】
〔他の実施形態〕
（ａ）  前記実施形態では、釣り情報表示装置８０は、外部に設けられた釣り用リール２００から得られる情報を表示していたが、これに限定されるものではなく、魚群探知機から得られる漁場の底の水深や魚群の位置を示す棚位置をエコー表示するモニタであってもよい。
【００４４】
（ｂ）  前記実施形態では、モニタスタンド９０は、釣り情報表示装置８０をロッドホルダ１００、１０１に取り付けていたが、ロッドホルダ１００、１０１に限定されるものではなく、他の凹部であってもよい。
【００４５】
（ｃ）  前記実施形態では、ロッドホルダ１００、１０１は、開口部１００ｂ、１０１ｂが斜め上方に向くように傾斜して配置されていたが、開口部１００ｂ、１０１ｂが上方に向くように、ロッドホルダ１００、１０１を垂直に配置してもよい。
【００４６】
（ｄ）  前記実施形態では、筒状部材７２は、テーパ部７２ｂの軸方向（上下）長さが円筒部７２ａの軸方向（上下）長さより長くなるように形成されていたが、これに限定されるものではない。また、テーパ部７２ｂのテーパ角は、テーパ部７２ｂの最大外径が、押圧部材７１の外径より小径であれば、任意のテーパ角に設定できる。なお、この場合においても、テーパ部７２ｂの最小外径は、円筒部７２ａの外径（すなわち、第１部材７３の最大外径）と略同一になるように形成される。
【００４７】
（ｅ）  前記実施形態では、第１部材７３及び第２部材７４は、上下反転させて配置した同一形状の部材であったが、第１部材７３及び第２部材７４を異なる形状に形成してもよい。
【符号の説明】
【００４８】
１  リール本体
２  スプール軸
３  スプール
４  ハンドル
６  回転伝達機構
７  レバードラグ機構
９  逆転防止機構
１０  第１側板
１０ａ  取付基板
１０ｂ  筒状部
１０ｃ  突出部
１１  第２側板
１２  リールボディ
１３  ハーネスラグ
１４  竿取付部
４８  電源部
４９  基板温度センサ
５１  スプールセンサ
５２  スプールカウンタ
５３  制御部
５４  通信部
５５  トルクセンサ
５６  温度センサ
５７  操作部
５８  記憶部
５９  表示部
７０  軸部材
７０ａ  第１雄ねじ部
７０ｂ  第２雄ねじ部
７０ｃ  貫通孔
７１  押圧部材
７１ａ  雌ねじ部
７２  筒状部材
７２ａ  円筒部
７２ｂ  テーパ部
７２ｃ  貫通孔
７３  第１部材
７３ａ  第１貫通孔
７３ｂ  第１傾斜面
７４  第２部材
７４ａ  第２貫通孔
７４ｂ  第２傾斜面
７４ｃ  貫通孔
７５  第１ナット部材
７６  第２ナット部材
７７  ピン部材
８０  釣り情報表示装置
８１  本体部材
８３  制御部
８４  操作部
８４ａ  タッチパネル
８４ｂ  電源スイッチ
８５  表示部
８５ａ  糸長表示領域
８５ｂ  トルク表示領域
８５ｃ  速度表示領域
８６  通信部
９０  モニタスタンド
９１  支持部
９２  取付部
９３  ハンガー部材
９３ａ  連結部
９３ｂ  腕部
９３ｃ  非円形孔
９４  介装部材
９５  固定部材
９６  板状部材
９６ａ  貫通孔
１００、１０１  ロッドホルダ
１００ａ、１０１ａ  凹部
１００ｂ、１０１ｂ  開口部
２００  釣り用リール
【図１】
2012115152.tif 000003
【図２】
2012115152.tif 000004
【図３】
2012115152.tif 000005
【図４】
2012115152.tif 000006
【図５】
2012115152.tif 000007
【図６】
2012115152.tif 000008
【図７】
2012115152.tif 000009
【図８】
2012115152.tif 000010
【図９】
2012115152.tif 000011